(57)【要約】  【課題】既設の可動間仕切装置にも簡単に適用できて的確に引き戸式の出入口を構成することができ、レイアウト変更にも容易に対応できるようにした新規有用な可動間仕切装置を提供する。【解決手段】間仕切パネルＡ，Ａ間または間仕切パネルＡと支柱Ｂとの間に形成される開放空間ＳＳの上方にレール取付部材１０１を、当該間仕切パネルＡ，Ａ間または間仕切パネルＡと支柱Ｂとの間に架け渡して設け、このレール取付部材１０１の下方空間を閉止する位置から隣接する間仕切パネルＡへの重合位置までの間で引き戸１００を案内するレール１０２を当該レール取付部材１０１に一体的に設けて、このレール１０２に引き戸１００を移動可能に支持させるようにした。  【選択図】図９
2008025282.tif 000002
【特許請求の範囲】
【請求項１】
間仕切パネル間または間仕切パネルと支柱との間に形成される開放空間の上方にレール取付部材を、当該間仕切パネル間または間仕切パネルと支柱との間に架け渡して設け、このレール取付部材の下方空間を閉止する位置から隣接する間仕切パネルへの重合位置までの間で引き戸を案内するレールを当該レール取付部材に一体的に設けて、このレールに引き戸を移動可能に支持させてなることを特徴とする可動間仕切装置。
【請求項２】
間仕切パネルの側縁部における上端近傍にレール取付部材との間を連結する係合部材を工具不要の操作部材と関連づけて当該間仕切パネルから分離し得ないように収容し、操作部材に加える操作に伴って間仕切パネルの連結する側の端面のみから係合部材を突出させ、これを隣接位置にあるレール取付部材の側縁部に係合させて、かかる係合部材のみによりレール取付部材との連結に必要な位置決め固定をなし得るようにしている請求項１記載の可動間仕切装置。
【請求項３】
間仕切パネルに収容する係合部材は、他の間仕切パネルや支柱などの間仕切要素との間を連結する係合部材としても機能するものである請求項２記載の可動間仕切装置。
【請求項４】
係合部材は、隣接する間仕切パネル同士を連結するにあたり、それのみで間仕切パネル間の上下方向の位置決め固定をなし得るものである請求項２又は３記載の可動間仕切装置。
【請求項５】
レール取付部材の側縁部内に他の間仕切パネルや支柱などの間仕切要素との間を連結する係合部材を工具不要の操作部材と関連づけて収容し、操作部材に加える操作に伴ってレール取付部材の連結する側の端面から係合部材を突出させ、これを隣接する間仕切要素の側縁部に係合させて、かかる係合部材のみにより間仕切要素との連結に必要な位置決め固定をなし得るようにしている請求項２〜４記載の可動間仕切装置。
【請求項６】
係合部材を非係合位置に引き込んだ状態で、間仕切パネルに対するレール取付部材の長手方向と直交する方向への相対移動、あるいは支柱に対するレール取付部材の長手方向と直交する方向への相対移動をなし得るようにしている請求項２〜５記載の可動間仕切装置。
【請求項７】
側縁部から突出させた係合部材たる対をなす係合片を係合先の側縁部に設けた被係合部に挿入し、挿入位置から少なくとも一方の係合片を引き戻す動作を与えることにより両係合片に相寄る方向又は相離れる方向の相対動作を同時に引き起こし、これにより側縁部同士を引き寄せつつ前記相対方向の位置決め固定をなすようにしている請求項２〜６記載の可動間仕切装置。
【請求項８】
レールが、一部をレール取付部材に固定され、他の一部を間仕切パネルの側縁部に形成したスリットにブラケットを介して掛止されることにより取り付けられる請求項１〜７記載の可動間仕切装置。
【請求項９】
間仕切パネルの下端部と引き戸の下端部との間に、当該引き戸を厚み方向の変位を規制しつつ幅方向に沿って誘導し得るガイド機構を構成している請求項１〜８記載の可動間仕切装置。
【請求項１０】
請求項８記載の可動間仕切装置を構成するものであって、レール取付部材、レール及びブラケットを具備してなることを特徴とする引き戸取付ユニット。
【発明の詳細な説明】
【技術分野】
【０００１】
本発明は、オフィス空間等を必要に応じて間仕切る可動間仕切装置に関し、特に出入り口となる部位に引き戸を簡単に取り付け得るようにした可動間仕切装置に関するものである。
【背景技術】
【０００２】
この種の可動間仕切装置は、間仕切パネル同士、或いは間仕切パネルと支柱の間を連結することにより適宜の壁面を形成して、居住空間を必要に応じて間仕切るものであり、パーソナルワーク用の執務スペースから共同ワークエリアの形成まで、種々多様に使用されている。
【０００３】
このような可動間仕切装置において、壁面の一部に必要に応じて出入口を形成したい場合等には、その部位を開放空間として、その開放空間に枠体を構築して引き戸を配設することが考えられる。
【０００４】
特許文献１に例示するものは、可動間仕切ではないが、共有空間の外郭を画定する所定位置から立設したポールと、隣り合うポールの上端を連結した状態で略水平に支持されるフレームとを備え、ポールとフレームで囲まれた面が一方のポール側に開口を残してパネル体により閉塞され、開口をフレームに設けたレールに沿って移動する扉により開閉可能とした共有空間構造体が示されている。
【０００５】
これに倣うならば、引き戸の可動範囲を囲むように縦枠と上枠とで少なくとも三方枠を構成し、その三方枠で囲まれた面を一方の縦枠側に開口を残してパネル体により閉塞して、その開口を、上枠に設けたレールに沿って移動する引き戸により開閉可能とすることで出入口を構成する事は可能である。
【特許文献１】特開２００５−１３９８０２
【発明の開示】
【発明が解決しようとする課題】
【０００６】
しかしながら、可動間仕切装置の場合は、ポールやフレームのような骨格がなく、縦枠と横枠を用いて三方枠を新たに構築しなければならない。このため、枠構造が大掛かりになり、コストや労力が大幅に増大する上に、少なくとも２枚分の間仕切パネルを取り去った部位に三方枠を構築し、その片半分に別途にパネル体を取り付け、その上で引き戸を配置しなければならない。このため、既設の可動間仕切装置に簡単に適用するわけにはいかず、レイアウト変更に係る自由度も低いものとなる。
【０００７】
本発明は、このような課題に着目してなされたものであって、既設の可動間仕切装置にも簡単に適用できて的確に引き戸式の出入口を構成することができ、レイアウト変更にも容易に対応できるようにした新規有用な可動間仕切装置を提供することを目的としている。
【課題を解決するための手段】
【０００８】
本発明は、かかる目的を達成するために、次のような手段を講じたものである。
【０００９】
すなわち、本発明の可動間仕切装置は、間仕切パネル間または間仕切パネルと支柱との間に形成される開放空間の上方にレール取付部材を、当該間仕切パネル間または間仕切パネルと支柱との間に架け渡して設け、このレール取付部材の下方空間を閉止する位置から隣接する間仕切パネルへの重合位置までの間で引き戸を案内するレールを当該レール取付部材に一体的に設けて、このレールに引き戸を移動可能に支持させてなることを特徴とする。
【００１０】
このように構成すると、一対の間仕切パネルとレール取付部材とで三方枠と同様の構造体をなし、或いは間仕切パネル、支柱及びレール取付部材で三方枠と同様の構造体をなすので、かかるレール取付部材にレールを一体的に設ける簡単な構成のみで、所要の強度を有するレール構造を有効に実現することができる。しかも、このレールは、引き戸を隣接する間仕切パネルへの重合位置まで案内するものであるので、大掛かりな枠を構成してその一部を別途にパネル体で閉止するといった事も不要であり、一層簡素な手段として利用に供することができる。
【００１１】
施工の便を有効に向上させるためには、間仕切パネルの側縁部における上端近傍にレール取付部材との間を連結する係合部材を工具不要の操作部材と関連づけて当該間仕切パネルから分離し得ないように収容し、操作部材に加える操作に伴って間仕切パネルの連結する側の端面のみから係合部材を突出させ、これを隣接位置にあるレール取付部材の側縁部に係合させて、かかる係合部材のみによりレール取付部材との連結に必要な位置決め固定をなし得るようにしていることが有効である。
【００１２】
レイアウトの多様性に適切に対応するためには、間仕切パネルに収容する係合部材が、他の間仕切パネルや支柱などの間仕切要素との間を連結する係合部材としても機能するものであることが望ましい。
【００１３】
レール取付部材を１箇所のみにて間仕切パネルに適切に連結するためには、係合部材は、隣接する間仕切パネル同士を連結する場合にも、それのみで間仕切パネル間の上下方向の位置決め固定をなし得るものであることが望ましい。
【００１４】
或いは、レール取付部材側から支柱等に対して連結操作を行う場合を考慮して、レール取付部材の側縁部内に他の間仕切パネルや支柱などの間仕切要素との間を連結する係合部材を工具不要の操作部材と関連づけて収容し、操作部材に加える操作に伴ってレール取付部材の連結する側の端面から係合部材を突出させ、これを隣接する間仕切要素の側縁部に係合させて、かかる係合部材のみにより間仕切要素との連結に必要な位置決め固定をなし得るようにしておくことも有効である。
【００１５】
既設の可動間仕切装置を大幅に解体せずとも引き戸の取り付けやその後のレイアウト変更に対応可能とするためには、係合部材を非係合位置に引き込んだ状態で、間仕切パネルに対するレール取付部材の長手方向と直交する方向への相対移動、あるいは支柱に対するレール取付部材の長手方向と直交する方向への相対移動をなし得るようにしておくことが効果的である。
【００１６】
係合部材の好ましい実施の態様としては、側縁部から突出させた対をなす係合片を係合先の側縁部に設けた被係合部に挿入し、挿入位置から少なくとも一方の係合片を引き戻す動作を与えることにより両係合片に相寄る方向又は相離れる方向の相対動作を同時に引き起こし、これにより側縁部同士を引き寄せつつ前記相対方向の位置決め固定をなすようにしているものが挙げられる。
【００１７】
レールをレール取付部材に確実に支持させるためには、レールが、一部をレール取付部材に固定され、他の一部を間仕切パネルの側縁部に形成したスリットにブラケットを介して掛止されることにより取り付けられるようにしておくことが好ましい。
【００１８】
以上のように懸吊支持される引き戸の下端側を適切に支持するためには、間仕切パネルの下端部と引き戸の下端部との間に、当該引き戸を厚み方向の変位を規制しつつ幅方向に沿って誘導し得るガイド機構を構成しておくことが望ましい。
【発明の効果】
【００１９】
本発明は、以上説明した構成であるから、既設の可動間仕切装置にも簡単に適用できて的確に引き戸式の出入口を構成することができ、レイアウト変更にも容易に対応可能な新規有用な可動間仕切装置を提供することができる。
【発明を実施するための最良の形態】
【００２０】
以下、本発明の一実施形態を、図面を参照して説明する。
【００２１】
この実施形態の可動間仕切装置は、間仕切パネルや支柱によって組まれた可動間仕切装置に対して、その一部に簡単な引き戸取付ユニットを用いて引き戸を取り付けるようにしたものである。
【００２２】
その取付構造には、間仕切パネル間や間仕切パネルと支柱との間を連結する連結具それ自体、或いはそれと同様の構造のものを用いているため、先ず、これらの間仕切パネルや支柱を始めとする可動間仕切装置全般の構造について説明し、しかる後、引き戸を取り付ける際の取付構造に言及する。
（可動間仕切装置の全体説明）
【００２３】
図１及び図２は、間仕切パネルＡを模式的に示している。このものは、剛性のある縦枠１１や横枠１２、鋼板１３、適宜の補強部材等を組み合わせて構造体であるパネル本体１を構成し、このパネル本体１をアジャスタ１４で支持するとともに、パネル本体１の両面に化粧材１５を被着し、上端に笠木１６を、下端に幅木１７をそれぞれ配置したものである。笠木１６の一部にはカバー１６ａが枢着してあり、笠木１６をパネル本体１に取り付けた状態のままで、カバー１６ａを当該笠木１６から分離させることなく回動させ得るようにしている。そのカバー１６ａの位置は、回動することによって間仕切パネルＡの上方に収容されている操作部材３（図２等参照）をパネル本体１外の操作可能位置に持ち出し得る位置まで退避可能とされている。勿論、回動以外の動作で退避できるように構成してもよく、操作部材３の上面がカバーを兼ねるように構成することもできる。
【００２４】
また、パネル側縁部１ａには目地１ｃが形成され、その目地底には以下に述べる係合部材２，４を出入りさせる開口１８をスリット状に設けており、上下の係合部材２，４はその開口１８を介して隣接する間仕切要素である間仕切パネルＡや支柱Ｂに対して係合動作を行う。
【００２５】
その際の連結動作は、部材間を引き寄せて密着させながら上下方向にも同時に位置決め固定するという挙動に基づいている。
【００２６】
図１においてパネル側縁部１ａの内側に位置するパネル本体１には、図２及び図４に示すように構造体である当該パネル本体１の剛性を利用して上方及び下方にそれぞれ係合部材２、４が離脱し得ないように付帯され、これらの係合部材２，４を操作部材３，５を介して作動させることによって、パネル側縁部１ａに設けた開口１８を介して突没させ得るようにしている。
【００２７】
上係合部材２は、図２及び図３に示すように、第１係合片２１及び第２係合片２２からなり、これらの係合片２１，２２を操作部材３に関連づけて構造体であるパネル本体１に突没可能に付帯させている。そして、操作部材３に加える操作によりこれらの係合片２１，２２を図６（ｂ）に示すようにパネル側縁部１ａから突出させた後、操作部材３を通じ第１係合片２１に対して第２係合片２２を同図（ｃ）に示すように引き戻す動作を与えることによって、両係合片２１，２２間を図中ｘ２に示す方向に拡幅させるようにしたものである。
【００２８】
図３に詳細に示すように、第１係合片２１は先端側に爪部を有しない直線状のもので、先端側の上面に突出方向に向かって前傾する傾斜面２１ａを成形しており、先端付近の上面２１ｂ、基端付近の上面２１ｃ及び下面２１ｄ全体は突没方向に略平行をなし、中間部の上面が前記傾斜面２１ａと平行な傾斜面２１ｅをなしている。この第１係合片２１は、基端上部を被枢着部２１ｆとされている。
【００２９】
第２係合片２２は、先端に係合対象を呼び込む斜面を有した上向きの爪部２２ａを備え、先端側及び基端側の下面に前記傾斜面２１ａ、２１eに同時に摺動可能な傾斜面２２ｂ、２２ｃを有するとともに、中間部の上面２２ｄ及び下面２２ｅは突没方向に略平行をなしている。この第２係合片２２は基端上部を被枢着部２２ｆとされている。
【００３０】
操作部材３は、下向きチャネル状の操作部３１と、この操作部３１の先端付近の対向壁３１ａ、３１ａ間に支軸３ａを介して基端を枢着された連動体３２とからなるもので、この連動体３２の先端に支軸Ｐ１を介して第２係合片２２の被係合部２２ｆを枢着している。操作部３１の先端には被枢結部３１ｂが設定され、この被枢結部３１ｂは、支軸Ｐ２を介して第１係合片２１の被係合部２１ｆに枢結されており、さらにこの支軸Ｐ２が構造体であるパネル本体１に設けた突没方向に延びるガイド凹所ｑ２にスライド可能に係合している。前記各支軸Ｐ１、Ｐ２，３ａは互いに平行であって突没方向に対して直交方向すなわちパネル本体１の厚み方向を向いている。操作部３の後端側には弾性係合爪３３が設けてあり、上方にはその解除レバー３３ａが設けてある。
【００３１】
操作部３１は通常は後方スライド端に設定した図２に示す待機位置にあり、弾性係合爪３３を介してパネル本体１の横枠１２の開口１２ａに固定されている。このとき、両係合片２１，２２は全てパネル側縁部１ａ内の没入位置にあって、第２係合片２２の斜面２２ｂ、２２ｃが第１係合片２１の斜面２１ａ、２１ｅをほぼ滑り上がった状態にある。この状態から操作部３１を支軸Ｐ２回りに把持し易い位置まで回動させると、連動体３２が支軸３ａを介して付勢されることにより図６（ａ）に示すように遊動して支軸Ｐ１により第２係合片２２を作動させ、この第２係合片２２の斜面２２ｂ、２２ｃが第１係合片２１の斜面２１ａ、２１ｅを滑り降りつつ前方に移動する。このため、第１係合片２１の下面２１ｄから第２係合片２２の爪部２２ａの上端までの上下間隔がパネル側縁部１ａの開口１８よりも小さくなる。この状態で操作部３１を図６（ｂ）に示す前方スライド端までガイド凹所ｑ２に沿って移動させると、パネル側縁部１ａから第１、第２係合片２１，２２が突出する。この位置で操作部３１を支軸Ｐ２回りに図６（ｃ）に示すように上記とは逆方向に回動操作すると、連動体３２に後方への揺動動作が与えられ、これにより第１係合片２１は動かずに第２係合片２２が動いてその斜面２２ｂ、２２ｃが再び第１係合片２１の斜面２１ａ、２１ｅを滑り上がる。すなわち、第２係合片２２は矢印ｘ１に示すようにパネル本体１側に引き戻されながら、第１係合片２１の斜面２１ａ、２１ｅがカム、第２係合片２２の斜面２２ｂ、２２ｃがフォロアとなって、第２係合片２２が引き戻されるにつれて次第に引き戻し方向と直交する矢印ｘ２方向に第１係合片２１に対して離反動作を行う。
【００３２】
したがって、操作部３１を通じ両係合片２１，２２を突出させて、例えば隣接する間仕切要素である支柱Ｂの立壁ｂ１に設けた開口ｂ１８に挿入し、しかる後、操作部３１を前記とは逆方向に回動操作すると、第２係合片２２の爪部２２ａが立面である外壁ｂ１の内面に係合してこれを引き寄せながら第１係合片２１から離反する方向に作動して、図６（ｃ）に示す作動位置で両係合片２１，２２が開口ｂ１８の上下縁を被係合部としてこの上縁縁に係合する。連結相手の間仕切要素が同じ間仕切パネルＡである場合は、開口１８の奥に位置する横枠１２の底壁に設けた切欠１２ｂ（図２(ａ)等参照）を上側の被係合部としてその内面に係合片２２を係合させる。このようにしているのは、仮に係合片２２を縦枠１１の側面（隣接する間仕切パネルＡに対向する面）に直接係合させると面に垂直な引っ張り力が作用した際に縦枠１１の開口の周辺が変形する恐れがあるような場合に、横枠１２の底壁に設けた切欠１２ｂに係合させるようにすれば、引っ張り力が面に沿った方向すなわち部材を圧縮する方向に作用することになり、部材の剛性でこれを支持することができるようになるからである。勿論、以上の事情は比較的構造がシンプルで強度を確保し易い支柱Ｂに対して内部構造上の問題や軽量化の要請等から間仕切パネルＡに支柱Ｂほどの強度が期待できない場合の対応であるから、間仕切パネルＡの縦枠１１に所定の強度が期待できる場合には支柱Ｂと同様の係合構造、すなわち開口縁に直接係合させる構造を採用することも可能である。
【００３３】
下係合部材４は、図４及び図５に示すように、先端に係合対象を呼び込む斜面を有した下向きの爪部４１を備え、中間部４２がアングル状に屈曲して、基端に形成した回転部４３の被枢着部４４がパネル本体１の厚み方向に平行な支軸Ｐ３を介して構造体であるパネル本体１に枢着されている。回転部４３の下方には操作部材５を収容する空洞４４が設けてあり、空洞４４の側壁には支軸Ｐ３に平行な遊動軸５１を挿通する挿通部４５が設けてある。
【００３４】
操作部材５は、この遊動軸５１に取り付けた円柱状のもので、前記空洞４４内に位置づけられ、その状態で遊動軸５１を、挿通部４５を通過させてパネル本体１の立壁に設けたガイド凹所ｑ３に係合させている。このガイド凹所ｑ３は、前方に前傾部ｑ３１、後方に後傾部ｑ３２を有し、両者間を連絡路ｑ３３で接続したもので、遊動軸３１を前傾部ｑ３１に位置づけた際に下係合部材４がパネル本体１内の没入位置に保持され、後傾部ｑ３に位置づけた際に下係合部材４が爪部４１をパネル側縁部１ａの外方に進出させて突出位置に保持される。
【００３５】
この操作部材５は、少なくともその下半部がパネル本体１の下端に付帯する幅木１７と床Ｆとの隙間Ｃ（図４参照）を介してパネル本体１の正面側又は背面側よりアクセス可能な位置に配される。そして、前記隙間Ｃを指が入る程度の大きさのものにしておき、その下半部を、指を掛けて操作することのできる操作端５ａとして利用可能としている。
【００３６】
操作部材５は操作端５ａの最降下位置若しくはその近傍を思案点Ｓとし、それを越えて係合部材４の荷重を加味した重心が移動するように設定してあり、係合部材４を突出位置及び没入位置の双方で重力により安定させるようにしている。
【００３７】
したがって、操作端５ａを操作して係合部材４を突出させ、しかる後、この間仕切パネルＡを持ち上げて隣接する他の間仕切パネルＡの開口１８や支柱Ｂ等の開口ｂ１８に下係合部材４の下向きの爪部４１を進入させ、そこから間仕切パネルＡを降下させると、係合部材４が突出位置で上下方向の係合を深めるとともに、これによる反力で支軸５１が後傾部ｑ３２の上向き面に押し付けられて操作部材４が安定的に固定される。因みに、この実施形態では間仕切パネルＡの開口１８の位置と支柱Ｂ等の開口ｂ１８の位置が若干変位しているため、爪部４１にこれらに対応する係合部分４１ａ、４１ｂを段階的に設けることで何れにも対応可能としている。
【００３８】
以上の係合部材２、４及び操作部材３、５は、開口１８とともに図１に示すパネル本体１の他方の側縁部１ｂにも設けられる。
【００３９】
このように構成される間仕切パネルＡは、図７（ａ）に矢印で示すように例えば隣接する間仕切要素である間仕切パネルＡに下方の係合部材４を係合させた後、同図（ｂ）に矢印で示すように上方の係合部材２を進退動作を通じて係合させることにより連結を完了することができる。
【００４０】
この実施形態では、上係合部材２がそれのみで間仕切パネルＡを上下方向に位置決め固定する機能を発揮するため、下係合部材４は積極的に開口１８に深く係合する必要はなく、主としてパネル本体１の厚み方向や幅方向に係合する役割を果たせば足りるものとなっている。
【００４１】
また、前記開口１８は、隣接する間仕切パネルＡから突出する係合部材２，４を受け入れる開口１８としての役割をも果たす。このために、上係合部材２及び下係合部材４が没入位置に移動することによって生じる空間Ｓ２、Ｓ４（図２及び図４参照）は、隣接する間仕切パネルＡの係合部材２，４が当該開口１８に挿入されて係合するに足る動作しろ以上に設定してあり、係合部材２，４を受け入れた際に自身の係合部材２，４を干渉させないようにしている。
【００４２】
勿論、上下の係合部材２，４は各々に付帯する操作部材３，５で互いに別個独立に操作可能であることから、叙述のように上下の係合部材２，４を開口１８から突出させる態様や上下の係合部材２，４を開口１８内に引き込んでその開口１８にともに隣接する間仕切パネルＡの係合部材２，４を受け入れる態様のほかに、図７（ｃ）に示すように上下何れか一方の係合部材２（４）を開口１８から突出させ他方の係合部材４（２）を開口１８内に引き込んでその開口１８に隣接する間仕切パネルＡの係合部材４（２）を受け入れる態様もとり得る。これらの全部又は一部は支柱Ｂの構造次第では隣接する間仕切要素が当該支柱Ｂである場合にも妥当し得る。
【００４３】
さらに、この間仕切パネルＡは、隣接部位における全ての係合部材２，４をパネル本体１内に収容した状態で、隣接する間仕切パネルＡや支柱Ｂとの間、特にパネル側縁部１ａ周辺に厚み方向の重合箇所が存在しないように構成してあり、この間仕切パネルＡの両側に他の間仕切パネルＡが隣接し連結された状態であっても、各々の間仕切パネルＡとの間の係合を解除して、図７（ｄ）に示すように真ん中の間仕切パネルＡのみを厚み方向に移動させて中抜きすることができる。
【００４４】
特に、下方の係合部材４の爪部４１が下向きであり、間仕切パネルＡを落とし込んで下方の係合部材４を係合させた後、上方の係合部材２で引き込みながら上下に位置決めできるため、コーナー連結等における間仕切パネルＡの後付け作業を極めて容易に行ない得るものとなっている。
（引き戸を取り付ける態様の説明）
【００４５】
以上を踏まえて、以下に、本実施形態に係る引き戸１００の取付構造について説明する。先ず、図８に示すように支柱Ｂと間仕切パネルＡとの間に予め開放空間ＳＳを確保し、或いは一部の間仕切パネルＡを上述した手順により中抜きすることによって開放空間ＳＳを形成する。そして、その開放空間ＳＳの上方に図９→図１０のようにレール取付部材１０１を、図示例では間仕切パネルＡと支柱Ｂとの間に架け渡して設け、その前後においてこのレール取付部材１０１にレール１０２を一体的に設けて、レール取付部材１０１の下方空間Ｓｘを閉止する位置から隣接する間仕切パネルＡへの重合位置までの間で当該引き戸１００を移動可能に支持させている。
【００４６】
具体的に説明すると、レール取付部材１０１は、長手寸法を間仕切パネルＡの幅寸法に略一致させてなるもので、図１１に示すように枠体１１１の上にチャネル材１１２を剛接した構成からなり、チャネル材１１２の一端側に、前記間仕切パネルＡの係合部材２を係合させるための図２の開口１８、ｂ１８と同様の開口１１８（図９参照）及び切欠１２ｂと同様の切欠１１２ｂ（同じく図９参照）を設けて被係合部Ｘとしている。そして、間仕切パネルＡに格納されている操作部材３を取り出して操作することにより、係合部材２を被係合部Ｘに対して図６（ａ）→（ｂ）→（ｃ）の手順で係合させて、レール取付部材１０１と間仕切パネルＡとの間を連結するようにしている。また、レール取付部材１０１の他端側には、この間仕切パネルＡにおけると同様の係合部材２及び操作部材３が組み込んであり、図９の支柱Ｂには図６（ａ）におけると同様の開口ｂ１８が被係合部として設けてある。そして、操作部材３をレール取付部材１０１から取り出して操作することにより、係合部材２を図６の手順により被係合部ｂ１８に係合させて、レール取付部材１０１と支柱Ｂとの間を連結するようにしている。
【００４７】
レール１０２は、図９及び図１１等に示すように、前面に連続開口１２１を有した部分枠体状のもので、長手寸法が間仕切パネルＡやレール取付部材１０１の幅寸法の略２倍に設定されている。そして、このレール１０２の片半部における立面１２２を前記レール取付部材１０１の前面に止着具たるねじ１２３により締着し、他半部を間仕切パネルＡの上端に沿って当該間仕切パネルＡの前面に延出させて、その延出端に固定したブラケット１２４を間仕切パネルＡの側縁部に係合させている。ブラケット１２４にはそのための係止爪１２４ａが設けられ、間仕切パネルＡの側縁部には図示しないスリットが設けられている。このスリットは、棚やパネル等のオプション部材を取り付けるために当初より間仕切パネルＡの側縁部に開口しているものである。そして、前記レール１０２内の上向き面に、断面略円形状をなす軌条１２５を形成している。
【００４８】
一方、引き戸１００は、前記レール取付部材１０１の下方空間Ｓｘを閉止する大きさの戸板１００ａと、この戸板１００ａの上端にアングル状のブラケット１００ｂを介して水平軸ｍ回りに取り付けた車輪１００ｃとを具備してなり、この車輪１００ｃを前記レール１０２の軌条１２５に転動自在に係合させている。車輪１００ｃの断面は軌条１２５の断面に対応しており、ブラケット１００ｂの前面には化粧板１００ｄが添設してある。そして、このブラケット１００ｂをストッパーとして機能させるために、レール１０２側には図１２に示すように引き戸１００が閉止位置又は開成位置に到来した際にブラケット１００ｂを停止させるストッパー受け１００ｅが設けてある。勿論、このようなストッパー構造は一例に過ぎない。
【００４９】
このようにして、引き戸１００は車輪１００ｃを介してレール１０２に転動可能に懸吊支持された図１０の状態となる。このから再び引き戸１００を取り外して図８の開放空間ＳＳに戻したい場合、あるいはその部位に間仕切パネルＡを配置したい場合等には、前述した操作部材３を操作して係合部材２を図６（ｃ）→（ｂ）→（ａ）のように非係合位置に引き込むことにより、レール取付部材１０１と間仕切パネルＡとの間、或いはレール取付部材１０１と支柱Ｂとの間の連結を解除する。これにより、図９の矢印と反対方向に向かってレール取付部材１０１をレール１０２や引き戸１００ともども支柱Ｂと間仕切パネルＡの間から中抜きすることができる。
【００５０】
さらに、この引き戸１００の下端をガイドすべく、図１３及び図１４に示すように、間仕切パネルＡの下端部と引き戸１００の下端部との間に、当該引き戸１００の厚み方向の変位を規制しつつこれを幅方向に沿って誘導するガイド機構１０３を構成している。
【００５１】
このガイド機構１０３は、引き戸１００の下端部に位置する下向きに開口したチャネル材をガイドレール１３１として利用する一方、間仕切パネルＡの下端部を支持するアジャスタ１に基端を係合させて側方にベース部材１３２を持ち出し、このベース部材１３２におけるガイドレール１３１の移動軌跡上に鉛直軸ｎ回りに回転自在にガイドローラ１３３を配置したものである。そして、このガイドローラ１３３を引き戸１００のガイドレール１３１に転動可能に係わり合わせて、当該引き戸１００の厚み方向の変位を規制しつつ当該引き戸１００を幅方向に沿って誘導し得るようにしている。
【００５２】
以上は間仕切パネルＡ、Ａ間に形成される開放空間にレール取付部材１０１を取り付ける際にも全く同様であり、そのなかでレール取付部材１０１側から係合部材２を持ち出して間仕切パネルＡに係合させる態様も勿論採用することができる。
【００５３】
このようにして、本実施形態に係る可動間仕切装置は、間仕切パネルＡ，Ａ間または間仕切パネルＡと支柱Ｂとの間に形成される開放空間ＳＳの上方にレール取付部材１０１を、当該間仕切パネルＡ，Ａ間または間仕切パネルＡと支柱Ｂとの間に架け渡して設け、このレール取付部材１０１の下方空間Ｓｘを閉止する位置から隣接する間仕切パネルＡへの重合位置までの間で引き戸１００を案内するレール１０２を当該レール取付部材１０１に一体的に設けて、このレール１０２に引き戸１００を移動可能に支持させるようにしたものである。
【００５４】
このように構成すると、一対の間仕切パネルＡ、Ａとレール取付部材１０１とで三方枠と同様の構造体をなし、或いは間仕切パネルＡ、支柱Ｂ及びレール取付部材１０１で三方枠と同様の構造体をなすことになるので、かかるレール取付部材１０１にレール１０２を一体的に設けるだけで、所要の強度を有するレール構造を有効に実現することができる。しかも、このレール１０２は、引き戸１００を隣接する間仕切パネルＡへの重合位置まで案内するものであるので、大掛かりな枠を構成してその一部を別途にパネル体で閉止するといった事も不要であり、一層簡素な構造を通じて所期の目的を実現することができる。
【００５５】
また、間仕切パネルＡの側縁部における上端近傍にレール取付部材１０１との間を連結する係合部材２を工具不要の操作部材３と関連づけて当該間仕切パネルＡから分離し得ないように収容し、操作部材３に加える操作に伴って間仕切パネルＡの連結する側の端面のみから係合部材２を突出させ、これを隣接位置にあるレール取付部材１０１の側縁部に係合させて、かかる係合部材２のみによりレール取付部材１０１との連結に必要な位置決め固定をなし得るようにしている。
【００５６】
このようにすれば、操作部材３が係合部材２とともに間仕切パネルＡに付帯して格納され、これを操作すれば係合部材２を突出させてレール取付部材１０１に係合させることができるので、工具レスで作業が行え、工具やボルト等の部品が離脱して取扱いに不便となることも有効に防止することができる。
【００５７】
また、間仕切パネルＡに収容する前記係合部材２は、他の間仕切パネルＡや支柱Ｂなどの間仕切要素との間を連結する係合部材としても機能するものであるので、間仕切パネルＡ，Ａ同士を連結していた部位、あるいは間仕切パネルＡと支柱Ｂとを連結していた部位からその一方の間仕切パネルを抜き取ってレール取付部材１０１に置換する態様、或いはその逆の態様等を、係合部材２をそのまま用いて簡易に実現することができる。
【００５８】
その係合部材２は、隣接する間仕切パネルＡ，Ａ同士を連結するにあたり、それのみで間仕切パネルＡ間の上下方向の位置決め固定をなし得るものであるので、レール取付部材１０１と一箇所のみにて連結を行う場合等にも確実に連結を行うことができ、間仕切パネルＡと引き戸１００との高さ位置も適切に揃えることができる。
【００５９】
一方、レール取付部材１０１の側縁部内にも、他の間仕切パネルＡや支柱Ｂなどの間仕切要素との間を連結する係合部材２を工具不要の操作部材３と関連づけて収容し、操作部材３に加える操作に伴ってレール取付部材１０１の連結する側の端面から係合部材２を突出させ、これを隣接する間仕切要素の側縁部に係合させて、かかる係合部材２のみにより間仕切要素との連結に必要な位置決め固定をなし得るようにしている。
【００６０】
このため、支柱Ｂや間仕切パネルＡに対してレール取付部材１０１側から係合部材２及び操作部材３を用いて連結操作を行う場合にも、工具レスで作業が行え、しかもレール取付部材１０１から分離し得ないように収容した状態とすれば、上記と同様、工具やボルト等の部品が離脱、紛失して取扱いに不便となることも有効に防止することができる。
【００６１】
さらに、係合部材２を非係合位置に引き込んだ状態で、間仕切パネルＡに対するレール取付部材１０１の長手方向と直交する方向への相対移動、あるいは支柱Ｂに対するレール取付部材１０１の長手方向と直交する方向への相対移動をなし得るようにしているので、特定の間仕切パネルＡを取り外してそこに引き戸１００を配置する必要が生じた場合に、係合部材２を非係合位置に引き込めば、間仕切パネルを厚み方向に移動させて有効に中抜きすることができ、レール取付部材１０１に容易に置換することができる。勿論、その逆の場合も同様である。したがって、既設の可動間仕切装置を大幅に解体せずとも引き戸１００の取り付けやその後のレイアウト変更に速やかに効率よく対応することが可能となる。
【００６２】
また、かかる係合部材２の具体的構成としては、側縁部から突出させた対をなす係合片２１，２２を係合先の側縁部に設けた開口１８等よりなる被係合部Ｘに挿入し、挿入位置から一方の係合片２２を引き戻す動作を与えることにより、両係合片２１，２２に相離れる方向の相対動作を同時に引き起こし、これにより側縁部同士を引き寄せつつ前記相対方向の位置決め固定をなすようにしている。
【００６３】
このため、間仕切パネルＡとレール取付部材１０１の間、レール取付部材１０１と支柱Ｂの間、或いは間仕切パネルＡ，Ａ同士などの部材間を積極的に引き寄せつつそれと直交する方向にも同時に位置決め固定することができ、強固で的確な連結状態を簡易に実現することができる。しかも、係合片２１，２２は進退動作を主体とするので、レール取付部材１０１のようにレール方向には動作しろが十分あるものの上下方向の動作しろが限られているものに適用する場合に極めて有用となる。
【００６４】
さらにまた、レール取付部材１０１の長手寸法は開放空間ＳＳに対応するのに対して、レール１０２は引き戸１００の可動範囲に対応して前記レール取付部材１０１よりも長尺となるが、レール１０２の一部をレール取付部材１０１にねじ１２３を用いて固定する一方、レール１０２の他の一部を間仕切パネルＡの側縁部に形成したスリットにブラケット１２４を介して掛止させるようにしているので、レール１０２のうちレール取付部材１０１に直接固定できずに持ち出された部分を間仕切パネルＡに的確に支持させることが可能となる。
【００６５】
このように、本実施形態の基本は引き戸１００を上縁のみにて移動可能に支持することにあるが、間仕切パネルＡの下端部と引き戸１００の下端部との間に、当該引き戸１００を厚み方向の変位を規制しつつ幅方向に沿って誘導し得るガイド機構１０３を付加的に構成しているので、引き戸１００の厚み方向の振れ等を的確に抑止して円滑な作動を確保することが可能となる。
【００６６】
そして、レール取付部材１０１、レール１０２及びブラケット１２４を引き戸取付ユニットとして取り扱うようにすれば、上記の目的を簡易に達成することが可能となる。
【００６７】
なお、各部の具体的な構成は、上述した実施形態のみに限定されるものではない。
【００６８】
例えば、レール取付部材には、係合部材及び操作部材を両端部に不離一体に設けておくことが有効であるが、引き戸の使用頻度を考えると、別体で設けて必要に応じてレール取付部材に組み込むようにしても構わない。また、係合部材や操作部材は上記実施形態のように間仕切パネルや支柱の連結に用いられているものと共通である事が望ましいことは言うまでもないが、可動間仕切装置がさほど大掛かりでない場合や、規格外のものである場合、後付でレール取付部材を取り付ける場合等には、必ずしも共用化を必須とするものではない。係合部材や操作部材の構造も上記に限定されないし、本発明の基本的な作用効果を奏する上では本発明に言う係合部材や操作部材の概念を有しない連結具を用いても構わない。
【００６９】
その他の構成も、本発明の趣旨を逸脱しない範囲で種々変形が可能である。
【図面の簡単な説明】
【００７０】
【図１】本発明の一実施形態に係る可動間仕切装置の基本構造を説明するための斜視図。
【図２】間仕切パネルのパネル本体上部を示す図。
【図３】同パネル本体上部に付帯する上係合部材及び操作部材を示す斜視図。
【図４】間仕切パネルのパネル本体下部を示す図。
【図５】同パネル本体下部に付帯する下係合部材及び操作部材を示す斜視図。
【図６】同実施形態の上係合部材の作動説明図。
【図７】同取扱い説明図。
【図８】同実施形態において引き戸の取付先となる開放空間を示す斜視図。
【図９】同開放空間への引き戸の取付手順を示す斜視図。
【図１０】図９に対応して取付状態を示す斜視図。
【図１１】間仕切パネル上部における引き戸の取付構造を示す断面図。
【図１２】同正面図。
【図１３】間仕切パネル下部における引き戸の取付構造を示す断面図。
【図１４】同部分斜視図。
【符号の説明】
【００７１】
２…係合部材
３…操作部材
１００…引き戸
１０１…レール取付部材
１０２…レール
１０３…ガイド機構
１２４…ブラケット
Ａ…間仕切パネル
Ｂ…支柱
ＳＳ…開放空間
Ｓｘ…下方空間
【図１】
2008025282.tif 000003
【図２】
2008025282.tif 000004
【図３】
2008025282.tif 000005
【図４】
2008025282.tif 000006
【図５】
2008025282.tif 000007
【図６】
2008025282.tif 000008
【図７】
2008025282.tif 000009
【図８】
2008025282.tif 000010
【図９】
2008025282.tif 000011
【図１０】
2008025282.tif 000012
【図１１】
2008025282.tif 000013
【図１２】
2008025282.tif 000014
【図１３】
2008025282.tif 000015
【図１４】
2008025282.tif 000016